(57)【要約】      （修正有）【課題】中継コネクタの縦設置と横設置の両方に対応することができる映像機器用端子盤を提供する。【解決手段】端子箱２に対して取り付け自在な映像機器用端子盤３は、端子本体７及び取り付けパネル６を有する。端子本体及び取り付けパネルは、端子本体が取り付けパネルに対して正対した状態で、９０°ピッチで回転する度に、相互に取り付け自在に設けられている。端子本体には、１個以上の中継コネクタ９、１０が装着されている。中継コネクタは、接続部が扁平な形状に形成されており、接続部の長手方向が、所定の１方向に向くように端子本体に装着されている。【選択図】図２
2018174658.tif 000002
【特許請求の範囲】
【請求項１】
端子箱、壁面あるいは机上面に対して取り付け自在な映像機器用端子盤であって、
前記映像機器用端子盤は、端子本体及び取り付けパネルを有し、
前記端子本体及び取り付けパネルは、前記端子本体が取り付けパネルに対して正対した状態で、９０°ピッチで回転する度に、相互に取り付け自在に設けられており、
前記端子本体には、１個以上の中継コネクタが装着されており、
前記中継コネクタは、接続部が扁平な形状に形成されており、
前記中継コネクタは、前記接続部の長手方向が、所定の１方向に向くように前記端子本体に装着されている、
ことを特徴とする映像機器用端子盤。
【請求項２】
前記中継コネクタは、ＨＤＭＩコネクタ又はＤ−ｓｕｂコネクタ又はＵＳＢコネクタである、請求項１記載の映像機器用端子盤。
【請求項３】
前記取り付けパネルには、前記中継コネクタの先端部が貫通するコネクタ取り付け穴が形成された化粧パネルが着脱自在に設けられており、
前記化粧パネルの表面には、前記端子本体の前記取り付けパネルに対する取り付け態様に応じた文字表示が配置されている、ことを特徴とする請求項１乃至２記載の映像機器用端子盤。
【請求項４】
前記化粧パネルは、前記中継コネクタの前記端子箱に対する設置態様に応じて複数種類、前記取り付けパネルに対して選択的に着脱自在に設けられている、ことを特徴とする請求項３記載の映像機器用端子盤。
【発明の詳細な説明】
【技術分野】
【０００１】
本発明は、壁や机などに設けられ、パーソナルコンピュータ、ＤＶＤプレイヤその他の各種の映像機器からの信号をＨＤＭＩコネクタやＤ−サブミニチュア（Ｄ−ｓｕｂ）コネクタなどの中継コネクタが設けられた映像機器用端子盤を介して、室内、机上に配置されたディスプレイ等へ配信する際に使用される、映像機器用端子盤に関する。
【背景技術】
【０００２】
映像信号ケーブル等の接続に用いられるＨＤＭＩコネクタやＤ−ｓｕｂコネクタ等の映像機器用の中継コネクタは、接続部の断面が、細長い形状、例えば長方形などの扁平な四角形状を有するものが多く用いられている。こうした中継コネクタは、最近では壁面や机上面に埋め込み設置された既設の端子箱に装着される形で用いられることも多い。
【０００３】
中継コネクタを端子箱に設置する場合には、それら中継コネクタを装着した端子盤を用いて、該端子盤を既設の端子箱にねじ止めなどにより固定設置することで行われる。中継コネクタが、その接続部を正面から見た際の形状が長方形などの扁平な形状を有する場合、例えば、図１（ａ）に示すように、ＨＤＭＩコネクタ１が端子箱２に装着されている場合、扁平な長方形状に形成されているＨＤＭＩコネクタ１が、その長手方向を図中水平方向（図中矢印Ａ，Ｂ方向）に設置した状態（以下、単に「横設置」と称する）とする形で装着されているか、図１（ｂ）に示すように、ＨＤＭＩコネクタ１が、その長手方向を図中垂直方向（矢印Ｄ、Ｅ方向）とする形で設置した状態（以下、単に「縦設置」と称する）で装着されているかのどちらかである。
【発明の概要】
【発明が解決しようとする課題】
【０００４】
これらの中継コネクタの装着態様は、端子盤によってどちらか一方に設定されており、一旦、使用する端子盤が決まると、コネクタの装着態様は、横設置か縦設置のどちらか一方に、一義的に決定されることとなる。従って、ユーザが中継コネクタの設置方向を、端子箱の設置環境に合わせて縦設置と横設置とで自由にその設置方向を選択するためには、２種類の端子盤を購入する必要が生じ、煩雑であるとともに、使用しない設置方向の端子盤が余るなど無駄が生じやすい不都合があった。
【０００５】
同様なことは、端子盤の製造、施工者にとっても言うことが出来、ユーザの中継コネクタの設置方向に合わせて２種類の端子盤を準備することは、製造及び施工に多くの手間が掛かることは論を待たない。
【０００６】
本発明は上記の事情を鑑みてなされたもので、単一の端子盤で、中継コネクタの縦設置と横設置の両方に対応することができ、設置後においても、その設置態様を変更することが可能な映像機器用端子盤を提供することを目的とする。
【課題を解決するための手段】
【０００７】
本発明の第１の観点は、端子箱（２）に対して（あるいは不図示の壁面や机上面に対して直接）取り付け自在な映像機器用端子盤（３）であって、前記映像機器用端子盤（３）は、端子本体（７）及び取り付けパネル（６）を有し、前記端子本体（７）及び取り付けパネル（６）は、前記端子本体（７）が取り付けパネル（６）に対して正対した状態で、９０°ピッチで回転する度に、相互に取り付け自在に設けられており、前記端子本体（７）には、１個以上の中継コネクタ（９，１０）が装着されており、前記中継コネクタ（９、１０）は、接続部が扁平な形状に形成されており、前記中継コネクタ（９，１０）は、前記接続部の長手方向が、所定の１方向（矢印Ａ、Ｂ方向、矢印Ｄ、Ｅ方向）に向くように前記端子本体（７）に装着されている、ことを特徴とする。
【０００８】
本発明の第２の観点は、前記中継コネクタ（９、１０）は、ＨＤＭＩコネクタ又はＤ−ｓｕｂコネクタ又はＵＳＢコネクタである、ことを特徴とする。
【０００９】
本発明の第３の観点は、前記取り付けパネル（６）には、前記中継コネクタ（９、１０）の先端部が貫通するコネクタ取り付け穴（１１ｂ）が形成された化粧パネル（１１）が着脱自在に設けられており、前記化粧パネル（１１）の表面には、前記端子本体の前記取り付けパネルに対する取り付け態様に応じた文字表示（１１ｃ）が配置されている、ことを特徴とする。
【００１０】
本発明の第４の観点は、前記化粧パネル（１１）は、前記中継コネクタ（９、１０）の前記端子箱（２）に対する設置態様に応じて複数種類、前記取り付けパネル（６）に対して選択的に着脱自在に設けられている、ことを特徴とする。
【発明の効果】
【００１１】
本発明によれば、端子本体（７）を取り付けパネル（６）に対して９０°刻みで回転させることで、中継コネクタ（９、１０）の端子箱（２）に対する縦設置と横設置を任意に選択することが出来るので、ユーザの中継コネクタの設置方向に合わせて２種類の端子盤を準備する必要が無くなり、製造及び施工の手間を簡略化することが出来る。
【００１２】
また、ユーザにとっても、中継コネクタの設置方向を、端子箱の設置環境に合わせて縦設置と横設置とで自由にその設置方向を選択することが出来るために、２種類の端子盤を購入する必要が無くなり、使用しない設置方向の端子盤が余るなど無駄も生じることが無く、好都合である。また、端子盤の設置後においても、その設置態様を端子本体（７）を回転させるだけで簡単に変更することが可能であり、利便性に富むものである。
【００１３】
なお、括弧内の番号等は、図面における対応する要素を示す便宜的なものであり、従って、本記述は図面上の記載に限定拘束されるものではない。
【図面の簡単な説明】
【００１４】
【図１】図１は、本発明の１実施例による映像機器用端子盤を端子箱に装着した際の斜視図で有り、（ａ）は中継コネクタが横設置の場合で、（ｂ）は中継コネクタが縦設置の場合である。
【図２】図２は、図１で示した端子盤の横設置（ａ）と縦設置（ｂ）のそれぞれの分解斜視図である。
【図３】図３は、ＨＤＭＩコネクタの接続部の図1におけるＣ矢視図である。
【図４】図４は、本発明による映像機器用端子盤の縦設置の例を示す正面図である。
【図５】図５は、本発明による映像機器用端子盤の横設置の例を示す正面図である。
【発明を実施するための形態】
【００１５】
以下、図面に基づき、本発明の実施例を説明する。
【００１６】
本発明による映像機器用端子盤３が装着される端子箱２は、図1及び２に示すように、全体が正方形の箱状に形成された本体５を有しており、本体５には、図２に示すように、箱状の端子盤収容空間５ａが形成されている。本体５の開口部５ｂには、取り付けタブ５ｃが開口部５ｂの上下に２カ所ずつ設けられており、取り付けタブ５ｃには、本発明による映像機器用端子盤３が取り付けパネル６を介して、後述する端子本体７を端子盤収容空間５ａ内に陥入収容させた形で、取り付けパネル６に穿設された４個の取り付け穴６ａを介してねじ等の固定手段を介して取り付け自在に装着されている。取り付け穴６ａは、取り付けパネル６の図２上下に２カ所ずつ取り付けタブ５ｃと対応する形で設けられており、従って端子本体７は、取り付け穴６ａ及び取り付けタブ５ｃを介して図示しないねじなどにより端子箱２に取り付けられている。
【００１７】
取り付けパネル６は全体が四角い板状に形成されており、中央には、端子本体７の正方形の前面７ｂが陥入係合する正方形の装着穴６ｂが穿設されている。取り付けパネル６の装着穴６ｂの周囲のフレーム６ｃは全体が四角形枠状に形成されており、フレーム６ｃの４辺、即ち上下左右の辺には、それぞれ端子本体７取り付け用のねじ穴６ｄが、各辺について２カ所（個数は任意）ずつ穿設形成されている。
【００１８】
取り付けパネル６には、端子本体７が、端子本体７の周囲上下左右の辺に設けられた取り付け片７ａを介してねじ穴６ｄ及び図示しないねじなどにより着脱自在に取り付けられている。端子本体７の前面７ｂには、ＨＤＭＩコネクタやＤ−ｓｕｂコネクタ等の映像機器用の複数種類の中継コネクタ９，１０が装着されており、各中継コネクタ９，１０の接続部は、図３に示すように、横幅Ｗが縦幅Ｈよりも大きな、扁平な略長方形に形成されている。各中継コネクタ９，１０は、その接続部の長手方向、即ち横幅方向が、一致するように端子本体７に装着されている。即ち、図２（ａ）の端子本体７の場合は、中継コネクタ９，１０はその横幅方向が、所定の１方向である水平方向、即ち図中矢印Ａ、Ｂ方向となるように端子本体７に装着されており（即ち、横設置）、図２（ｂ）の場合は、図２（ａ）の端子本体７を、９０°反時計方向に回転させて、中継コネクタ９，１０はその横幅方向が、前述の所定の1方向に直角な垂直方向、即ち図中矢印Ｄ、Ｅ方向となるように端子本体７に装着されている（即ち、縦設置）。
【００１９】
また、取り付けパネル６の、端子本体７が装着された側とは反対側には、化粧パネル１１が同様に図２に示すように化粧パネル１１の上下の位置に形成された取り付けタブ１１ａ、１１ａを介してねじなどにより着脱自在に装着されており、当該化粧パネルは、端子本体７の取り付けパネル６への装着態様に応じて２種類の化粧パネル１１Ａ、１１Ｂが、選択的に取り付けパネル６に装着されている。
【００２０】
化粧パネル１１には、中継コネクタ９，１０の外形形状に対応したコネクタ取り付け穴１１ｂが複数穿設形成されており、各コネクタ取り付け穴１１ｂは、それぞれ端子本体７に取り付けられた中継コネクタ９，１０の先端の接続部が貫通するように形成されている。従って、端子本体７が図２（ａ）に示す横設置の場合には、コネクタ取り付け穴１１ｂが、当該穴の長手方向が矢印Ａ、Ｂ方向となるように穿設形成されており、端子本体７が図２（ｂ）に示す縦設置の場合には、コネクタ取り付け穴１１ｂが、当該穴の長手方向が矢印Ｄ、Ｅ方向となるように穿設形成されている。
【００２１】
横設置の端子本体７に対応した化粧パネル１１Ａは、図５に示すように、化粧パネル１１Ａの表面１１ｄに記載された文字表示１１ｃも、横設置の端子本体７に応じた形で配置されており、縦設置の端子本体７に対応した化粧パネル１１Ｂは、図４に示すように、化粧パネル１１Ｂの表面１１ｄに記載された文字表示１１ｃも、縦設置の端子本体７に応じた形で配置されている。即ち、化粧パネル１１Ａ、１１Ｂは、その文字表示１１ｃの表示態様が、中継コネクタ９、１０の端子箱２に対する設置態様に応じて互いに異なる形で形成され、取り付けパネル６に対して選択的に脱着自在に設けられている。
【００２２】
化粧パネル１１の、図２前面には、端子箱２を構成する枠体２ａが取り付けパネル６に対して着脱自在に設けられている。枠体２ａには、表示穴２ｂが形成されており、化粧パネル１１の表面１１ｄを表示穴２ｂを介して外部から容易に認識することが出来る。
【００２３】
端子箱２及び映像機器用端子盤３は以上のような構成を有するので、図示しない壁の壁面や机の机上面などに既に設置されている端子箱２に、本発明による映像機器用端子盤３を装着する場合には、まず、端子箱２の枠体２ａを、図２に示すように取り外した状態で、本発明の映像機器用端子盤３を端子箱２の本体５の端子盤収容空間５ａ内に、端子本体７を収納する形で取り付ける。
【００２４】
それには、映像機器用端子盤３の設置態様、即ち、映像機器用端子盤３を端子箱２に対して縦設置で取り付けるのか、横設置で取り付けるのかを、顧客からの指示、設置仕様書などで確認し、指示された設置態様に従って、端子本体７を取り付けパネル６に取り付ける。
【００２５】
設置態様が、横設置（端子箱２の設置位置によって、「縦設置」と「横設置」の区別が曖昧となる場合があるが、本明細書では、便宜上、端子箱２の本体５の図２中、左右方向（矢印Ａ、Ｂ方向）に中継コネクタ９，１０の長手方向が向く場合を、「横設置」とし、端子箱２の本体５の図２中、上下方向（矢印Ｄ、Ｅ方向）に中継コネクタ９，１０の長手方向が向く場合を、「縦設置」とする）の場合には、図２（ａ）に示すように、端子本体７を中継コネクタ９，１０の長手方向を矢印Ａ、Ｂ方向に向けた形で取り付けパネル６に４個の取り付けタブ７ａを介して取り付ける。
【００２６】
この状態で、取り付けパネル６と端子本体７を、端子本体７を端子箱２の本体５の端子盤収容空間５ａ内に挿入する形で、取り付けパネル６の４個の取り付け穴６ａを端子箱２の本体５の４個の取り付けタブ５ｃと整合させて、ねじ等を用いて端子箱２に取り付ける。この状態で、端子本体７の設置態様に対応した横設置の化粧パネル１１Ａを、２個の取り付けタブ１１ａを介してねじ等により取り付けパネル６に取り付ける。最後に、端子箱２を構成する枠体２を、取り付けパネル６にねじ等を用いて装着すると、図５に示すように、横設置に応じた化粧パネル１１Ａが装備された映像機器用端子盤３が端子箱２に装着される。
【００２７】
また、設置態様が、縦設置の場合には、図２（ｂ）に示すように、横設置に用いる端子本体７と同一の端子本体７を、反時計方向に９０°回転させて中継コネクタ９，１０の長手方向を矢印Ｄ、Ｅ方向の縦方向に設定し、その状態で端子本体７を取り付けパネル６に４個の取り付け片７ａを介して取り付ける。端子本体７は、前面７ｂが正方形で形成されており、取り付けパネル６の装着穴６ｂも正方形に形成され、端子本体７は、取り付けパネル６と正対する図２の状態で、９０ピッチで回転させる度に、前面７ｂは装着穴６ｂに陥入係合することができるように形成されている。また、端子本体７の前面７ｂが取り付けパネル６の装着穴６ｂに陥入係合した際には、両者は、取り付けパネル６の周囲４辺に形成された複数のねじ穴６ｄ及び端子本体７の周囲４カ所に形成された取り付け片７ａにより固定することが出来るので、端子本体７は取り付けパネル６に対して縦設置でも横設置でも、自由に取り付けることが出来る。
【００２８】
なお、取り付けパネル６と端子本体７の、９０°ピッチでの取り付け態様は、上述したねじ等を用いた態様に限らず、バネ等その他の固定手段を用いて両者を固定するように構成することも可能である。
【００２９】
端子本体７を縦設置の状態で取り付けパネル６に固定した後は、前述と同様に、端子本体７を取り付けパネル６と共に、端子箱２の本体５の端子盤収容空間５ａ内に端子本体７を収納する形で、取り付けパネル６の４個の取り付け穴６ａを端子箱２の本体５の４個の取り付けタブ５ｃと整合させて、ねじ等を用いて端子箱２に取り付ける。この状態で、端子本体７の設置態様に対応した縦設置の化粧パネル１１Ｂを、２個の取り付けタブ１１ａを介してねじ等により取り付けパネル６に取り付ける。最後に、端子箱２を構成する枠体２ａを、取り付けパネル６にねじ等を用いて装着すると、図４に示すように、縦設置に応じた化粧パネル１１Ｂが装備された映像機器用端子盤３が端子箱２に装着される。
【００３０】
以上、説明したように、端子箱２に対して同一の端子本体７を用いて、中継コネクタ９，１０の縦設置と横設置を実現することが可能となるので、縦設置、横設置用の端子本体７を２種類準備する必要が無くなる。
【００３１】
なお、端子本体７には、中継コネクタ９，１０に限らず、図４及び５に示すように、適宜なスイッチ類１２，１２を操作可能に設けて構成することも当然可能である。
【符号の説明】
【００３２】
２……端子箱
３……映像機器用端子盤
６……取り付けパネル
７……端子本体
９、１０……中継コネクタ
１１、１１Ａ、１１Ｂ……化粧パネル
１１ｂ……取り付け穴
１１ｃ……文字表示
【図１】
2018174658.tif 000003
【図２】
2018174658.tif 000004
【図３】
2018174658.tif 000005
【図４】
2018174658.tif 000006
【図５】
2018174658.tif 000007